(57)【要約】【課題】一連のハガキシートを折り畳むことによって形成された非接触ＩＣカード一体型ハガキにおいて、ハガキの軽量性とハガキ作成の作業容易性とを維持しつつ、ＩＣカードの強度を確保する。【解決手段】カード形成部位５の形状に対応したフィルム形状を有し、ＲＦＩＤを構成する回路７が実装されたＲＦＩＤフィルム４は、互いに対向したカード形成部位５，６と位置的に対応した状態で、ハガキシート１，２によって挟み込まれている。また、ハガキシート３は、カード形成部位５に印刷された個人情報を覆うように、ハガキシート１の面上に剥離可能な状態で貼り付けられている。【選択図】図１
2009018502.tif 000002
【特許請求の範囲】
【請求項１】
一連のハガキシートを折り畳むことによって形成された非接触ＩＣカード一体型ハガキにおいて、
非接触ＩＣカードの一方の面となる切り取り可能な第１のカード形成部位が一部に形成されており、前記第１のカード形成部位に前記非接触ＩＣカードの所有者の個人情報が印刷された第１のハガキシートと、
前記第１のカード形成部位の形状に対応したフィルム形状を有し、ＲＦＩＤを構成する回路が実装されたＲＦＩＤフィルムと、
前記非接触ＩＣカードの他方の面となる切り取り可能な第２のカード形成部位が一部に形成された第２のハガキシートと、
第３のハガキシートとを有し、
前記ＲＦＩＤフィルムは、互いに対向した前記第１のカード形成部位および前記第２のカード形成部位と位置的に対応した状態で、前記第１のハガキシートおよび前記第２のハガキシートによって挟み込まれており、
前記第３のハガキシートは、前記第１のカード形成部位に印刷された前記個人情報を覆うように、前記第１のハガキシートの一方の面上に剥離可能な状態で貼り付けられており、
前記第１のハガキシートの他方の面は、露出していることを特徴とする非接触ＩＣカード一体型ハガキ。
【請求項２】
前記第１のハガキシートにおける前記第２のハガキシートとの対向面には、前記第１のカード形成部位の位置を示す表記が印刷されており、
前記第２のハガキシートにおける前記第１のハガキシートとの対向面には、前記第２のカード形成部位の位置を示す表記が印刷されていることを特徴とする請求項１に記載された非接触ＩＣカード一体型ハガキ。
【請求項３】
前記第２のハガキシートは、折曲線を介して前記第１のハガキシートに連結されており、
前記第３のハガキシートは、折曲線を介して前記第１のハガキシートまたは前記第２のハガキシートに連結されていることを特徴とする請求項１または２に記載された非接触ＩＣカード一体型ハガキ。
【発明の詳細な説明】
【技術分野】
【０００１】
本発明は、一連のハガキシートを折り畳むことによって、非接触ＩＣカードがハガキに一体形成された非接触ＩＣカード一体型ハガキに関する。
【背景技術】
【０００２】
ＲＦＩＤ（Radio Frequency IDentification）を組み込んだ非接触ＩＣカードは、多機能、低コスト、軽量等の優れた利点を有するので、金融系カード、ポイントカード、ＩＤカードといった各種サービス用のカードとして広く用いられている。このようなＩＣカードに関して、特許文献１には、カード郵送時の便宜（特に軽量性）を図るべく、ハガキ３枚分（または４枚分）の大きさ分の一連のシートを三つ折り（または四つ折り）に折り畳み、ＩＣカードが形成されたシートの表裏を他のシートで覆ったハガキが開示されている。また、特許文献２には、一連のシートを折り畳む形態ではないが、自己の一部をＩＣカードとして使用可能なハガキ（紙葉類）が開示されている。具体的には、このハガキの略中央部には切り込みが形成されている。そして、この切り込み形状内には、ＩＣチップと、印刷されたループアンテナとによって構成されたＩＣカードがハガキの表裏に露出した状態で形成されている。また、特許文献３には、このような切り取り式の非接触ＩＣカード一体型ハガキにおいて、上下の上質紙にて非接触ＩＣモジュールをサンドイッチしたＩＣカードの積層構造が開示されている。
【０００３】
【特許文献１】実用新案登録３０５６３２８号公報
【特許文献２】特開２００１−３１０５７５号公報
【特許文献３】特開平１１−３０１１４８号公報
【発明の開示】
【発明が解決しようとする課題】
【０００４】
しかしながら、上記特許文献１の折り畳み式ハガキでは、非接触ＩＣカードがシート（通常は上質紙）１枚分の厚みしかなく、シート素材（通常は上質紙）にＩＣカードの強度が依存する。そのため、シート１枚分程度では、使用の際にＩＣカードの折れ曲がりや破損が生じ易い。
【０００５】
そこで、本発明の目的は、一連のハガキシートを折り畳むことによって形成された非接触ＩＣカード一体型ハガキにおいて、ハガキの軽量性とハガキ作成の作業容易性とを維持しつつ、ＩＣカードの強度を確保することである。
【０００６】
また、本発明の別の目的は、郵送時におけるＩＣカードの脱落防止と、ユーザによるＩＣカードの抜き取り容易性との両立を図ることである。
【０００７】
さらに、本発明の別の目的は、郵送時におけるカード所有者の個人情報を有効に秘匿することである。
【課題を解決するための手段】
【０００８】
かかる課題を解決するために、本発明は、第１から第３のハガキシートと、ＲＦＩＤフィルムとを有し、一連のハガキシートを折り畳むことによって形成された非接触ＩＣカード一体型ハガキを提供する。第１のハガキシートの一部には、非接触ＩＣカードの一方の面となる切り取り可能な第１のカード形成部位が形成されている。この第１のカード形成部位には、非接触ＩＣカードの所有者の個人情報が印刷されている。ＲＦＩＤフィルムは、第１のカード形成部位の形状に対応したフィルム形状を有し、ＲＦＩＤを構成する回路が実装されている。第２のハガキシートの一部には、非接触ＩＣカードの他方の面となる切り取り可能な第２のカード形成部位が形成されている。ＲＦＩＤフィルムは、互いに対向した第１のカード形成部位および第２のカード形成部位と位置的に対応した状態で、第１のハガキシートおよび第２のハガキシートによって挟み込まれている。第３のハガキシートは、第１のカード形成部位に印刷された個人情報を覆うように、第１のハガキシートの面上に剥離可能な状態で貼り付けられている。そして、第１のハガキシートの他方の面は露出している。
【０００９】
ここで、本発明において、第１のハガキシートにおける第２のハガキシートとの対向面には、第１のカード形成部位の位置を示す表記が印刷されており、第２のハガキシートにおける第１のハガキシートとの対向面には、第２のカード形成部位の位置を示す表記が印刷されていることが好ましい。
【００１０】
また、本発明において、第２のハガキシートは、折曲線を介して第１のハガキシートに連結されており、第３のハガキシートは、折曲線を介して第１のハガキシートまたは第２のハガキシートに連結されていることが好ましい。
【発明の効果】
【００１１】
本発明によれば、ハガキの一部として非接触ＩＣカードが構成されているので、非接触ＩＣカードを一体形成してもハガキ自体の軽量性を損なうことがない。また、第１から第３のハガキシートの折り畳みによって、非接触ＩＣカード一体型ハガキを簡単に作成できるので、作業性の向上を図ることができる。それとともに、非接触ＩＣカードは、第１および第２のハガキシートにてＲＦＩＤフィルムを挟み込んだ積層構成を有するので、ＩＣカード自体に要求される強度を十分に確保することができる。また、第１のハガキシートの一方の面には第３のハガキシートが貼り付けられているので、郵送時において、非接触ＩＣカードの脱落を有効に防止でき、かつ、第１のカード形成部位に印刷された個人情報を有効に秘匿できる。さらに、第３のハガキシートを剥がすだけで非接触ＩＣカードを簡単に抜き取ることができる。
【００１２】
特に、第１および第２のハガキシートのそれぞれの対向面にカード形成部位の位置を示す表記を印刷しておけば、ＲＦＩＤフィルムの位置決めが容易になるので、ハガキ作成における作業性の一層の向上を図ることができる。
【発明を実施するための最良の形態】
【００１３】
図１は、一連のハガキシートを折り畳むことによって形成された非接触ＩＣカード一体型ハガキの展開図であり、同図（ａ）は、その表側の展開図であり、同図（ｂ）その裏側の展開図である。この非接触ＩＣカード一体型ハガキは、３つのハガキシート１〜３と、ＲＦＩＤフィルム４とを主体に構成されている。ハガキシート１〜３はいずれも標準的なハガキサイズ（例えば１００×１４８ｍｍ）である。非接触ＩＣカード一体型ハガキは、ハガキ３枚の大きさ分の一連のハガキシート１〜３を三つ折りすることによって形成される。これを可能にすべく、ハガキシート１の一方の側縁部は、折曲線を介して、ハガキシート２の側縁部と連結している。また、ハガキシート１の他方の側縁部は、折曲線を介して、ハガキシート３の側縁部と連結している。
【００１４】
ハガキシート１の一部には、ＩＣカードの一方の面となるカード形成部位５が形成されている。このカード形成部位５には、その外縁に沿って切り込みが設けられており、これにより、ハガキシート１からカード形成部位５を抜き取ることができる。カード形成部位５の一方の面（同図（ｂ）から見える面、いわゆる裏側）には、ＩＣカードの所有者に関する個人情報が印刷されている。個人情報とは、例えば、顔写真、氏名、ＩＤ番号、パスワードの如く、一般に公開することが好ましくない個人のプライバシーに関する情報をいう。ハガキシート１の他方の面（同図（ａ）から見える面、いわゆる表側）には、露出している。ハガキシート１の裏側全体には、対向するハガキシート３と面接合するための加工、例えばＵＶニス加工が施されている。
【００１５】
ハガキシート１に連結されたハガキシート２の一部には、ＩＣカードの他方の面となるカード形成部位６が形成されている。このカード形成部位６には、カード形成部位６と同様に、その外縁に沿って切り込みが設けられており、これにより、ハガキシート２からカード形成部位６を抜き取ることができる。カード形成部位６の一方の面には、必要に応じて、郵送時に第三者に見られても構わない一般情報が印刷されている。なお、これらのカード形成部位５，６は、一例として、カードサイズとしてポピュラーな８４ｍｍ×５５ｍｍのサイズを有する。
【００１６】
同図（ａ）から見える面において、ハガキシート２と対向するハガキシート１の対向面には、カード形成部位５の位置を示す表記が印刷されている。同様に、ハガキシート１と対向するハガキシート２の対向面にも、カード形成部位６の位置を示す表記が印刷されている。これは、ハガキシート１，２にてＲＦＩＤフィルム４をサンドイッチする際、ＲＦＩＤフィルム４の位置合わせを容易にするためである。
【００１７】
ハガキシート１に連結されたハガキシート３の表側には、宛先が印刷されている。また、ハガキシート３の裏側には、必要に応じて機密情報が印刷されおり、その全体には、ハガキシート１と剥離可能な貼り付けをするための加工が施されている。これにより、ハガキシート３は、カード形成部位５に印刷された個人情報を覆うように、ハガキシート１の一方の面（表側）上に剥離可能な状態で貼り付けることができる。
【００１８】
ＲＦＩＤフィルム４は、カード形成部位５またはカード形成部位６の形状に対応した薄いフィルム形状を有し、ＲＦＩＤを構成する回路（以下、回路）７が実装されている。回路７は、ループアンテナや、ＩＤ情報等を埋め込んだＩＣタグ等を有し、電磁界や電波等を用いた近距離の無線通信によって情報をやりとりするものである。用途によって方式は異なるが、本実施形態の回路７は、電波を電力に変えて安価で薄いパッシブ・タグを採用し、電磁波の周波数は１３．５６[MHz]の電磁波を利用する。なお、本実施形態の回路７には、製造段階（折り畳み時）ではなんら情報が埋め込まれておらず、送付段階（折り畳後）で情報を埋め込まれる。具体的には、ハガキシート２の裏側ないしハガキシート３の表側に印刷された宛先人やＱＲコード等のチェック後、これらに対応する情報を回路７に埋め込むことができるようにする。これにより、ハガキシート１〜３に印刷された情報と、回路７に埋め込む情報との一致を容易にし、誤った情報を埋め込んだＩＣカードの送付を防止することができる。このことは、非接触ＩＣカード一体型ハガキの印刷・製造する者と、宛先人に送付する者とが異なる場合に特に有効である。
【００１９】
また、ＲＦＩＤフィルム４は、互いに対向したカード形成部位５，６と位置的に対応した状態で、ハガキシート１，２によって挟み込まれる。本実施形態のＲＦＩＤフィルム４は、カード形成部位５，６の形状と一致する形状を有する。また、ＲＦＩＤフィルム４は、薄いラベル状で片面に接着剤が塗付されており、ハガキシート１，２のいずれかの表側に接着できるようになっている。
【００２０】
図２は、図１に示した展開図をＺ型に折り畳んで完成させた郵送時における非接触ＩＣカード一体型ハガキである。ハガキシート１，３の裏側が互いに面接合され、ハガキシート１，２のそれぞれ表側が互いに面接合されている。なお、ハガキシート１，３をユーザ等が剥離できるように、ハガキシート３の隅部は切り取られている。
【００２１】
図３は、非接触ＩＣカード一体型ハガキの断面図である。具体的には、図２に示した非接触ＩＣカード一体型ハガキにおいて、カード形成部位５，６を含むように線分Ａ−Ｂで切断した断面図である。図２，３に示すＡ，Ｂはそれぞれ位置的に対応する。ハガキシート１，３の裏側は、剥離可能にコーティングされた貼付部材８によって貼り付けられており、ハガキシート１，２の表側は、剥離困難な接着部材９によって接着されている。これにより、ＲＦＩＤフィルム４が接着部材９によってハガキシート１，２の間に挟み込まれ、回路７がカードの一部として固定される。カード形成部位５，６の外縁の切れ込みは、ハガキシート１にコーティングされる貼付部材８の層からＲＦＩＤフィルム４を介してハガキシート６の底部（外部）まで貫通している。カード形成部位５，６およびＲＦＩＤフィルム４で形成されるＩＣカードは、ハガキシート１，３の貼付部材８による接着力により郵送時において容易に脱落することはない。
【００２２】
図４は、郵送後における非接触ＩＣカード一体型ハガキの図である。具体的には、図２に示した非接触ＩＣカード一体型ハガキが郵送後、ユーザによってハガキシート１，３が剥離された図である。ハガキシート１，３を剥離すると、カード形成部位５を含むハガキシート１が露出する。カード形成部位５，６およびＲＦＩＤフィルム４で形成されるＩＣカードは、ハガキシート３と剥離されているため、貼付部材８による粘着力は低下する。カード形成部位５，６に外縁に沿った切り込みが入れられているため、ハガキシート１のカード形成部位５から、またはハガキシート２のカード形成部位６から軽く押し出すことで容易にＩＣカードを取り出せる。
【００２３】
本実施形態によれば、非接触ＩＣカード一体型ハガキは、３枚のハガキシート１〜３および１枚のＲＦＩＤフィルム４という少ない部材で構成されているので、ＩＣカードを一体形成してもハガキ自体の軽量性を損なうことがない。また、比較的安価な部材であるハガキシート１〜３およびＲＦＩＤフィルム４の折り畳みによって、非接触ＩＣカード一体型ハガキを簡単に作成できるので、作業性の向上を図ることができ、製造コストも抑制することができる。
【００２４】
また、本実施形態によれば、ＩＣカードは、ＲＦＩＤフィルム４にハガキシート１，２の一部を挟み込んだ積層構成を有するので、ＩＣカード自体に要求される強度を十分に確保することができる。また、ハガキシート１の裏側（ＩＣカードの個人情報が記載される面）には、ハガキシート３と貼り付けするための貼付部材８によってコーティングされる。そのため、ＩＣカードの個人情報が記載される面は光沢を有することになり、見栄えのするＩＣカードを生成できる。なお、ハガキシート１における個人情報が印刷された面は、ハガキシート３が貼り付けられているため、従来と同様に、ＩＣカードに印刷される個人情報の保護を図ることができる。
【００２５】
さらに、本実施形態によれば、ＲＦＩＤフィルム４を有するＩＣカードの表側には、ハガキシート３が面接合されるため、その粘着力により郵送時におけるＩＣカードの脱落を防止できる。また、ハガキシート３が剥離した場合、粘着力も低下するため、ユーザによるＩＣカードの抜き取りを容易に行うことができる。
【００２６】
本実施形態によれば、ハガキシート１，２のそれぞれの対向面にカード形成部位の位置を示す表記を印刷しているので、ＲＦＩＤフィルム４の位置決めが容易になり、ハガキ作成における作業性の一層の向上を図ることができる。
【００２７】
なお、本実施形態では、ハガキシート３は、折曲線を介してハガキシート１に連結されていたが、本発明はこれに限定されず、ハガキシート１〜３の折り畳み時の位置決めが容易にできれば足りる。例えば、折曲線を介してハガキシート２に連結されていてもよい。その場合、ＩＣカードの表面に記載される個人情報は、ハガキカード２の裏側のカード形成部位６に記載される。
【００２８】
また、本実施形態では、ハガキシート３はハガキシート１，２と同サイズであったが、本発明はこれに限定されず、郵送時におけるＩＣカード欠落や、ＩＣカードの表面の個人情報等が隠蔽されていれば足りる。そのため、例えば、ハガキシート３のサイズは、ハガキシート１，２のそれより小さくてもよく、カード形成部位５のみを覆うようすれば足りる。
【００２９】
さらに、本実施形態では、ハガキシート１〜３は標準的なハガキサイズであったが、本発明はこれに限定されず、ハガキと同額で郵送できるサイズであれば足りる。そのため、例えば、ハガキシート１〜３のサイズが、標準的なハガキサイズ以下のサイズであってもよい。同様に、ＩＣカードはポピュラーなカードサイズであったが、本発明はこれに限定されず、例えばこのカードサイズより大きいまたは小さいサイズであってもよい。
【００３０】
本実施形態では、ハガキシート１，２に挟み込まれるＲＦＩＤフィルム４は、ＩＣカードと同じ形状であったが、本発明はこれに限定されず、ＩＣカードに主要部である回路７が含まれていれば足りる。そのため、例えば、ＲＦＩＤフィルム４がカードサイズ（カード形成部位５，６の位置を示す表記）より大きくてもよい。その場合、ＲＦＩＤフィルム４には、カード形成部位５，６の縁部と一致する切れ込みがあることが好ましい。
【図面の簡単な説明】
【００３１】
【図１】非接触ＩＣカード一体型ハガキの展開図
【図２】郵送状態における非接触ＩＣカード一体型ハガキを示す図
【図３】非接触ＩＣカード一体型ハガキの断面図
【図４】非接触ＩＣカードの抜き取り状態を示す図
【符号の説明】
【００３２】
１，２，３  ハガキシート
４  ＲＦＩＤフィルム
５，６  カード形成部位
７  ＲＦＩＤを構成する回路
８  貼付部材
９  接着部材
【図１】
2009018502.tif 000003
【図２】
2009018502.tif 000004
【図３】
2009018502.tif 000005
【図４】
2009018502.tif 000006